(57)【要約】【課題】表示システムにおいて更なる改善を実現できる技術を提供する。【解決手段】第１表示装置２２ａは、複数の第１センサ電極を有する。第２表示装置２２ｂは、第１表示装置２２ａと隣接して配置され、複数の第２センサ電極を有する。第１駆動回路７４ａは、第１タッチ駆動信号ＴＸ１を複数の第１センサ電極に供給する。第２駆動回路７４ｂは、第１タッチ駆動信号ＴＸ１に対して位相差を有する第２タッチ駆動信号ＴＸ２を複数の第２センサ電極に供給する。【選択図】図１
2020154836.tif 000002
【特許請求の範囲】
【請求項１】
複数の第１センサ電極を有する第１表示装置と、
前記第１表示装置と隣接して配置され、複数の第２センサ電極を有する第２表示装置と、
第１電圧と第２電圧との間で変化する第１タッチ駆動信号を前記複数の第１センサ電極に供給する第１駆動回路と、
第３電圧と第４電圧との間で変化し、前記第１タッチ駆動信号に対して位相差を有する第２タッチ駆動信号を前記複数の第２センサ電極に供給する第２駆動回路と、
前記第１タッチ駆動信号が前記第１電圧から前記第２電圧に変化する第１タイミングから予め定められた第１時間が経過した第１取得タイミングにおいて前記複数の第１センサ電極のそれぞれの静電容量にもとづく複数の第１検出値を取得し、取得した前記複数の第１検出値にもとづいて前記第１表示装置への物体のタッチを検出する第１タッチ検出回路と、
前記第２タッチ駆動信号が前記第３電圧から前記第４電圧に変化する第２タイミングから予め定められた第２時間が経過した第２取得タイミングにおいて前記複数の第２センサ電極のそれぞれの静電容量にもとづく複数の第２検出値を取得し、取得した前記複数の第２検出値にもとづいて前記第２表示装置への物体のタッチを検出する第２タッチ検出回路と、
を備え、
前記第１タイミングから前記第１取得タイミングまでの第１期間、および、前記第１タッチ駆動信号が前記第２電圧から前記第１電圧に変化する第３タイミングから前記複数の第１センサ電極の電圧が実質的に前記第１電圧になるタイミングまでの第２期間は、前記第２タイミングから前記第２取得タイミングまでの第３期間に非重複である、ことを特徴とする表示システム。
【請求項２】
前記第２タッチ駆動信号が前記第４電圧から前記第３電圧に変化する第４タイミングから前記複数の第２センサ電極の電圧が実質的に前記第３電圧になるタイミングまでの第４期間は、前記第１期間および前記第２期間に非重複である、ことを特徴とする請求項１に記載の表示システム。
【請求項３】
前記第１タッチ検出回路は、前記第３タイミングから前記第２期間の長さより長い前記第１時間が経過した第３取得タイミングにおいても前記複数の第１検出値を取得し、
前記第１期間、および、前記第３タイミングから前記第３取得タイミングまでの第５期間は、前記第３期間に非重複である、ことを特徴とする請求項２に記載の表示システム。
【請求項４】
前記第２タッチ検出回路は、前記第４タイミングから前記第４期間の長さより長い前記第２時間が経過した第４取得タイミングにおいても前記複数の第２検出値を取得し、
前記第４タイミングから前記第４取得タイミングまでの第６期間は、前記第１期間および前記第５期間に非重複である、ことを特徴とする請求項３に記載の表示システム。
【請求項５】
前記第１駆動回路は、第１基準クロック信号にもとづいて前記第１タッチ駆動信号を生成し、
前記第２駆動回路は、前記第１基準クロック信号に対する位相差が設定された第２基準クロック信号にもとづいて前記第２タッチ駆動信号を生成する、ことを特徴とする請求項１から４のいずれかに記載の表示システム。
【請求項６】
前記第２駆動回路は、前記第２基準クロック信号にもとづいて、前記第１タッチ駆動信号の周波数と同じ周波数の前記第２タッチ駆動信号を生成する、ことを特徴とする請求項５に記載の表示システム。
【請求項７】
前記第１基準クロック信号と、当該第１基準クロック信号に同期した同期信号とを生成する第１クロック生成回路と、
前記第１クロック生成回路で生成された前記同期信号にもとづいて前記第２基準クロック信号を生成する第２クロック生成回路と、
を備えることを特徴とする請求項５または６に記載の表示システム。
【請求項８】
同期信号を出力する制御装置と、
前記制御装置から出力された前記同期信号にもとづいて前記第１基準クロック信号を生成する第１クロック生成回路と、
前記制御装置から出力された前記同期信号にもとづいて前記第２基準クロック信号を生成する第２クロック生成回路と、
を備えることを特徴とする請求項５または６に記載の表示システム。
【請求項９】
前記第１駆動回路は、予め定められたタッチ検出期間の間、前記第１タッチ駆動信号を供給し、前記タッチ検出期間以外では前記第１タッチ駆動信号の供給を停止し、
前記第１タッチ検出回路は、前記第１タッチ駆動信号の供給が停止されている場合、第１センサ電極から受信した信号に含まれる前記第１タッチ駆動信号の周波数のノイズを検出し、
前記第１タッチ検出回路でノイズが検出された場合、前記第１駆動回路は、ノイズの周波数と異なる周波数の前記第１タッチ駆動信号を供給し、かつ、前記第２駆動回路は、変更された前記第１タッチ駆動信号の周波数と同じ周波数の前記第２タッチ駆動信号を供給し、
前記第１タッチ検出回路でノイズが検出された場合でも、前記第１期間および前記第２期間は前記第３期間に非重複である、ことを特徴とする請求項１から８のいずれかに記載の表示システム。
【請求項１０】
複数の第１センサ電極を有する第１表示装置と、
前記第１表示装置と隣接して配置され、複数の第２センサ電極を有する第２表示装置と、
第１電圧と第２電圧との間で変化する第１タッチ駆動信号を前記複数の第１センサ電極に供給する第１駆動回路と、
第３電圧と第４電圧との間で変化し、前記第１タッチ駆動信号に対して位相差を有する第２タッチ駆動信号を前記複数の第２センサ電極に供給する第２駆動回路と、
前記第１タッチ駆動信号が前記第１電圧から前記第２電圧に変化する第１タイミングから予め定められた第１時間が経過した第１取得タイミングにおいて前記複数の第１センサ電極のそれぞれの静電容量にもとづく複数の第１検出値を取得し、取得した前記複数の第１検出値にもとづいて前記第１表示装置への物体のタッチを検出する第１タッチ検出回路と、
前記第２タッチ駆動信号が前記第３電圧から前記第４電圧に変化する第２タイミングから予め定められた第２時間が経過した第２取得タイミングにおいて前記複数の第２センサ電極のそれぞれの静電容量にもとづく複数の第２検出値を取得し、取得した前記複数の第２検出値にもとづいて前記第２表示装置への物体のタッチを検出する第２タッチ検出回路と、
を備える表示システムにおける制御方法であって、
前記第１タイミングから前記第１取得タイミングまでの第１期間、および、前記第１タッチ駆動信号が前記第２電圧から前記第１電圧に変化する第３タイミングから前記複数の第１センサ電極の電圧が実質的に前記第１電圧になるタイミングまでの第２期間が、前記第２タイミングから前記第２取得タイミングまでの第３期間に非重複であるように、前記第１駆動回路、前記第２駆動回路、前記第１タッチ検出回路および前記第２タッチ検出回路を制御するステップを備える、ことを特徴とする制御方法。
【発明の詳細な説明】
【技術分野】
【０００１】
本発明は、タッチ検出機能を有する表示システムおよび制御方法に関する。
【背景技術】
【０００２】
近年、表示画面においてＧＵＩを表示し、ユーザの指などで表示画面を直接タッチすることで指示入力を行うタッチディスプレイを搭載した表示入力装置が普及している（例えば、特許文献１，２参照）。この種の表示入力装置は、表示装置に対してボタンやキーボードなど別途入力部を備える表示入力装置と比較して構成を簡素化できることから、携帯端末や設置スペースの限られる端末などで広く採用されている。
【先行技術文献】
【特許文献】
【０００３】
【特許文献１】特開２０１４−１３２４４５号公報
【特許文献２】特開２０１６−２００８８６号公報
【発明の概要】
【発明が解決しようとする課題】
【０００４】
タッチディスプレイを備える表示システムにおいて、更なる改善が必要とされる。
【０００５】
本発明はこうした状況に鑑みてなされたものであり、その目的は、表示システムにおいて更なる改善を実現できる技術を提供することにある。
【課題を解決するための手段】
【０００６】
上記課題を解決するために、本発明のある態様の表示システムは、複数の第１センサ電極を有する第１表示装置と、第１表示装置と隣接して配置され、複数の第２センサ電極を有する第２表示装置と、第１電圧と第２電圧との間で変化する第１タッチ駆動信号を複数の第１センサ電極に供給する第１駆動回路と、第３電圧と第４電圧との間で変化し、第１タッチ駆動信号に対して位相差を有する第２タッチ駆動信号を複数の第２センサ電極に供給する第２駆動回路と、第１タッチ駆動信号が第１電圧から第２電圧に変化する第１タイミングから予め定められた第１時間が経過した第１取得タイミングにおいて複数の第１センサ電極のそれぞれの静電容量にもとづく複数の第１検出値を取得し、取得した複数の第１検出値にもとづいて第１表示装置への物体のタッチを検出する第１タッチ検出回路と、第２タッチ駆動信号が第３電圧から第４電圧に変化する第２タイミングから予め定められた第２時間が経過した第２取得タイミングにおいて複数の第２センサ電極のそれぞれの静電容量にもとづく複数の第２検出値を取得し、取得した複数の第２検出値にもとづいて第２表示装置への物体のタッチを検出する第２タッチ検出回路と、を備える。第１タイミングから第１取得タイミングまでの第１期間、および、第１タッチ駆動信号が第２電圧から第１電圧に変化する第３タイミングから複数の第１センサ電極の電圧が実質的に第１電圧になるタイミングまでの第２期間は、第２タイミングから第２取得タイミングまでの第３期間に非重複である。
【０００７】
本発明の別の態様は、制御方法である。この方法は、複数の第１センサ電極を有する第１表示装置と、第１表示装置と隣接して配置され、複数の第２センサ電極を有する第２表示装置と、第１電圧と第２電圧との間で変化する第１タッチ駆動信号を複数の第１センサ電極に供給する第１駆動回路と、第３電圧と第４電圧との間で変化し、第１タッチ駆動信号に対して位相差を有する第２タッチ駆動信号を複数の第２センサ電極に供給する第２駆動回路と、第１タッチ駆動信号が第１電圧から第２電圧に変化する第１タイミングから予め定められた第１時間が経過した第１取得タイミングにおいて複数の第１センサ電極のそれぞれの静電容量にもとづく複数の第１検出値を取得し、取得した複数の第１検出値にもとづいて第１表示装置への物体のタッチを検出する第１タッチ検出回路と、第２タッチ駆動信号が第３電圧から第４電圧に変化する第２タイミングから予め定められた第２時間が経過した第２取得タイミングにおいて複数の第２センサ電極のそれぞれの静電容量にもとづく複数の第２検出値を取得し、取得した複数の第２検出値にもとづいて第２表示装置への物体のタッチを検出する第２タッチ検出回路と、を備える表示システムにおける制御方法であって、第１タイミングから第１取得タイミングまでの第１期間、および、第１タッチ駆動信号が第２電圧から第１電圧に変化する第３タイミングから複数の第１センサ電極の電圧が実質的に第１電圧になるタイミングまでの第２期間が、第２タイミングから第２取得タイミングまでの第３期間に非重複であるように、第１駆動回路、第２駆動回路、第１タッチ検出回路および第２タッチ検出回路を制御するステップを備える。
【発明の効果】
【０００８】
上記の態様により、表示システムにおいて更なる改善を実現できる。
【図面の簡単な説明】
【０００９】
【図１】第１の実施の形態に係る表示システムのブロック図である。
【図２】図１の表示装置の回路構成を概略的に示す図である。
【図３】図２の共通電極の配置を示す上面図である。
【図４】第１表示装置における第１フレーム期間と第２表示装置における第２フレーム期間のタイミングを示す図である。
【図５】図５（ａ）は、図４の第１タッチ検出期間Ｔ１ａにおける表示装置の動作を説明する図であり、図５（ｂ）は、第１タッチ検出期間Ｔ２ａにおける表示装置の動作を説明する図である。
【図６】図６（ａ）は、第１タッチ検出期間Ｔ３ａにおける表示装置の動作を説明する図であり、図６（ｂ）は、第１タッチ検出期間Ｔ４ａにおける表示装置の動作を説明する図である。
【図７】図７（ａ）は、各タッチ検出期間における第１タッチ駆動信号と第１表示装置の共通電極の電圧の波形を示す図であり、図７（ｂ）は、各タッチ検出期間における第２タッチ駆動信号と第２表示装置の共通電極の電圧の波形を示す図である。
【図８】図８（ａ）は、各タッチ検出期間における第１タッチ駆動信号と第１表示装置の共通電極の電圧の波形の別の例を示す図であり、図８（ｂ）は、各タッチ検出期間における第２タッチ駆動信号と第２表示装置の共通電極の電圧の波形の別の例を示す図である。
【図９】図９（ａ）は、比較例の表示システムの第１タッチ検出期間Ｔ４ａにおける表示装置の動作を説明する図であり、図９（ｂ）は、比較例の各タッチ検出期間における第１タッチ駆動信号の波形を示す図であり、図９（ｃ）は、比較例の各タッチ検出期間における第２タッチ駆動信号の波形を示す図である。
【図１０】図１の表示システムの起動処理を示すフローチャートである。
【図１１】図１１（ａ）は、第２の実施の形態に係る各タッチ検出期間における第１タッチ駆動信号と第１表示装置の共通電極の電圧の波形を示す図であり、図１１（ｂ）は、第２の実施の形態に係る各タッチ検出期間における第２タッチ駆動信号と第２表示装置の共通電極の電圧の波形を示す図である。
【図１２】図１２（ａ）は、第３の実施の形態に係る第１タッチ駆動信号の波形を示す図であり、図１２（ｂ）は、第３の実施の形態に係る第２タッチ駆動信号の波形を示す図である。
【図１３】第４の実施の形態に係る表示システムのブロック図である。
【図１４】図１３の表示システムの起動処理を示すフローチャートである。
【発明を実施するための形態】
【００１０】
（本開示の基礎となった知見）
実施の形態を具体的に説明する前に、基礎となった知見を説明する。タッチディスプレイでは、動作安定性の観点からノイズの影響を低減することが望まれている。タッチディスプレイにおいて外部機器の動作などに由来する外来ノイズの影響を低減する技術として、たとえば既述の特許文献１と２の技術が知られている。
【００１１】
ところで、２台のタッチディスプレイを並べて配置する場合がある。この配置では、各タッチディスプレイのタッチ駆動信号に由来するノイズが互いに干渉しあうことでタッチ検出に影響を与えるという課題を本発明者は発見した。この課題を解決するために、本開示に係る表示システムは以下のように構成される。
【００１２】
以下、各図面に示される同一または同等の構成要素、部材、工程には、同一の符号を付するものとし、適宜重複した説明は省略する。また、各図面における部材の寸法は、理解を容易にするために適宜拡大、縮小して示される。
【００１３】
（第１の実施の形態）
図１は、第１の実施の形態に係る表示システム１のブロック図である。表示システム１は、自動車などの車両に搭載された車載の表示システム１である一例について説明するが、用途は特に限定されず、携帯機器などに用いてもよい。
【００１４】
表示システム１は、ホスト１０と、第１表示モジュール２０ａと、第２表示モジュール２０ｂとを備える。以下、第１表示モジュール２０ａと第２表示モジュール２０ｂを区別しない場合には表示モジュール２０と呼ぶ。表示モジュール２０は、表示パネルとも呼ばれる。
【００１５】
ホスト１０は、ラジオ、カーナビゲーション、Ｂｌｕｅｔｏｏｔｈ（登録商標）通信などの各種機能を実行するとともに、２つの表示モジュール２０を制御する。ホスト１０は、制御装置１２を備える。
【００１６】
制御装置１２は、たとえばＣＰＵであり、ホストＣＰＵとも呼ばれる。制御装置１２は、画像データＤＤと制御データＣＤを２つの表示モジュール２０に供給し、これらのデータをもとに２つの表示モジュール２０を制御する。
【００１７】
第１表示モジュール２０ａは、第１表示装置２２ａと、第１表示制御装置２４ａとを備える。第２表示モジュール２０ｂは、第２表示装置２２ｂと、第２表示制御装置２４ｂとを備える。以下、第１表示装置２２ａと第２表示装置２２ｂを区別しない場合には表示装置２２と呼び、第１表示制御装置２４ａと第２表示制御装置２４ｂを区別しない場合には表示制御装置２４と呼ぶ。
【００１８】
２つの表示装置２２は、たとえば、カーナビゲーション画面などが表示される車室内のセンターディスプレイなどとして利用され、水平方向または垂直方向に隣接して配置される。２つの表示装置２２は、カーナビゲーション画面などの１画面の一部ずつをそれぞれ表示して、２つの画面で１画面を構成してもよいし、一方がカーナビゲーション画面などの第１の画面を表示し、他方が第１の画面とは異なるテレビ画面などの第２の画面を表示してもよい。
【００１９】
表示装置２２は、インセル型のＩＰＳ（In Plane Switching）方式の液晶表示装置であり、タッチディスプレイとして構成され、タッチ位置を検出可能である。表示装置２２の構成は、例えば、以下に説明する周知の構成となっている。
【００２０】
図２は、図１の表示装置２２の回路構成を概略的に示す。図２は、各構成要素の概略的な配置も示す。表示装置２２は、行方向に延びる複数のゲート線Ｇ１，Ｇ２，・・・と、列方向に延びる複数のソース線Ｓ１，Ｓ２，・・・と、複数の画素スイッチング素子３０と、複数の画素電極３２と、複数の共通電極３４とを備える。各画素スイッチング素子３０は、薄膜トランジスタであり、ゲート線とソース線の交点付近に画素に対応して設けられる。各画素スイッチング素子３０において、ゲートにはゲート線が接続され、ソースにはソース線が接続され、ドレインには画素電極３２が接続される。１つの共通電極３４に対して、複数の画素スイッチング素子３０と複数の画素電極３２が配置される。画素電極３２と共通電極３４との間の電界により液晶層が制御される。共通電極３４は、画像表示およびタッチ検出に共用される。そのため、電極の層数を削減して、表示装置２２を薄く構成できる。第１表示装置２２ａの共通電極３４は、第１センサ電極と呼ぶこともできる。第２表示装置２２ｂの共通電極３４は、第２センサ電極と呼ぶこともできる。
【００２１】
図３は、図２の共通電極３４の配置を示す上面図である。複数の共通電極３４は、マトリクス状に配置される。第１表示装置２２ａの各共通電極３４は、信号線３６で第１表示制御装置２４ａに接続され、第２表示装置２２ｂの各共通電極３４は、信号線３６で第２表示制御装置２４ｂに接続される。
【００２２】
表示装置２２は、自己容量方式によりタッチ位置を検出する。表示装置２２の表示面に指が近づくと、共通電極３４と指の間に静電容量が発生する。静電容量が発生すると共通電極３４における寄生容量が増加し、共通電極３４にタッチ駆動信号を供給するときの電流が増加する。この電流の変動量にもとづいてタッチ位置が検出される。
【００２３】
図１に戻る。第１表示制御装置２４ａは、たとえばＩＣとして構成され、ホスト１０からの制御データＣＤと画像データＤＤにしたがって第１表示装置２２ａを制御する。第１表示制御装置２４ａは、第１制御回路７０ａと、第３駆動回路７２ａと、第１駆動回路７４ａと、第１タッチ検出回路７６ａと、第１クロック生成回路７８ａとを備える。
【００２４】
第１制御回路７０ａは、たとえばマイコンで構成され、第１クロック生成回路７８ａと第３駆動回路７２ａと第１駆動回路７４ａの信号生成、第１タッチ検出回路７６ａの動作タイミングなどを制御する。
【００２５】
第１制御回路７０ａは、第１フレーム期間に、表示画像の１フレームが第１表示装置２２ａに描画され、かつ、１画面のタッチ検出が少なくとも１回実行されるよう、第３駆動回路７２ａ、第１駆動回路７４ａおよび第１タッチ検出回路７６ａを制御する。第１フレーム期間は、第１垂直同期期間とも呼べる。第１フレーム期間の詳細は後述する。
【００２６】
第１クロック生成回路７８ａは、第１制御回路７０ａの制御にしたがい、第１基準クロック信号ＣＫ１を生成する。第３駆動回路７２ａは、第１制御回路７０ａの制御にしたがい、ホスト１０からの画像データＤＤと、生成された第１基準クロック信号ＣＫ１とにもとづいてソース信号ＳＳを生成する。第３駆動回路７２ａは、第１制御回路７０ａの制御にしたがい、生成された第１基準クロック信号ＣＫ１にもとづいてゲート信号ＧＳを生成する。
【００２７】
第３駆動回路７２ａは、ソース信号ＳＳを第１表示装置２２ａの複数のソース線に順次供給し、ゲート信号ＧＳを第１表示装置２２ａの複数のゲート線に順次供給する。
【００２８】
第１駆動回路７４ａは、第１制御回路７０ａの制御にしたがい、予め定められた固定電圧である基準電圧ＶＣＯＭを生成し、かつ、生成された第１基準クロック信号ＣＫ１にもとづいて矩形波の第１タッチ駆動信号ＴＸ１を生成する。第１駆動回路７４ａは、図３の信号線３６を介して、基準電圧ＶＣＯＭまたは第１タッチ駆動信号ＴＸ１を第１表示装置２２ａの全体の複数の共通電極３４に供給する。
【００２９】
第１タッチ検出回路７６ａは、第１表示装置２２ａへの物体のタッチを検出する。第１タッチ検出回路７６ａは、第１制御回路７０ａの制御にしたがい、共通電極３４に第１タッチ駆動信号ＴＸ１が供給されたときのタッチ検出信号ＲＸを共通電極３４から受け、タッチ検出信号ＲＸにもとづいてタッチ位置を検出する。第１タッチ検出回路７６ａは、検出したタッチ位置の情報を第１制御回路７０ａに出力する。
【００３０】
第１制御回路７０ａは、第１タッチ検出回路７６ａからのタッチ位置の情報にもとづいてタッチ位置の座標データＴＤを導出し、その座標データＴＤをホスト１０の制御装置１２に出力する。制御装置１２は、座標データＴＤに応じて各種処理を実行する。
【００３１】
第１クロック生成回路７８ａは、第１基準クロック信号ＣＫ１に同期した同期信号ＳＹを生成し、たとえば第１フレーム期間の開始タイミング毎に同期信号ＳＹを第２表示制御装置２４ｂに出力する。同期信号ＳＹの出力タイミングは、第１表示制御装置２４ａと第２表示制御装置２４ｂの間で信号を同期させることができれば、特に限定されない。
【００３２】
第２表示制御装置２４ｂは、たとえばＩＣとして構成され、ホスト１０からの制御データＣＤと画像データＤＤ、第１表示制御装置２４ａからの同期信号ＳＹにしたがって第２表示装置２２ｂを制御する。第２表示制御装置２４ｂの基本的な動作は、第１表示制御装置２４ａの動作と共通する。第２表示制御装置２４ｂは、第２制御回路７０ｂと、第４駆動回路７２ｂと、第２駆動回路７４ｂと、第２タッチ検出回路７６ｂと、第２クロック生成回路７８ｂとを備える。
【００３３】
第２制御回路７０ｂは、たとえばマイコンで構成され、同期信号ＳＹにもとづいて、第２クロック生成回路７８ｂと第４駆動回路７２ｂと第２駆動回路７４ｂの信号生成、第２タッチ検出回路７６ｂの動作タイミングなどを制御する。第２制御回路７０ｂと前述の第１制御回路７０ａをまとめて制御回路と呼べる。
【００３４】
第２制御回路７０ｂは、第２フレーム期間に、表示画像の１フレームが第２表示装置２２ｂに描画され、かつ、１画面のタッチ検出が少なくとも１回実行されるよう、第４駆動回路７２ｂ、第２駆動回路７４ｂおよび第２タッチ検出回路７６ｂを制御する。第２制御回路７０ｂは、同期信号ＳＹにもとづいて、第２フレーム期間の開始タイミングが第１フレーム期間の開始タイミングと一致するよう制御する。第２フレーム期間は、第２垂直同期期間とも呼べる。第２フレーム期間の詳細は後述する。
【００３５】
第２クロック生成回路７８ｂは、第２制御回路７０ｂの制御にしたがい、第１基準クロック信号ＣＫ１に同期した、第１基準クロック信号ＣＫ１の周波数と同じ周波数の第２基準クロック信号ＣＫ２を生成する。つまり第２基準クロック信号ＣＫ２は、第１基準クロック信号ＣＫ１に対する位相差が実質的にゼロに設定される。第４駆動回路７２ｂは、第２制御回路７０ｂの制御にしたがい、ホスト１０からの画像データＤＤと、生成された第２基準クロック信号ＣＫ２とにもとづいてソース信号ＳＳを生成する。第４駆動回路７２ｂは、第２制御回路７０ｂの制御にしたがい、生成された第２基準クロック信号ＣＫ２にもとづいてゲート信号ＧＳを生成する。
【００３６】
第４駆動回路７２ｂは、ソース信号ＳＳを第２表示装置２２ｂの複数のソース線に順次供給し、ゲート信号ＧＳを第２表示装置２２ｂの複数のゲート線に順次供給する。
【００３７】
第２駆動回路７４ｂは、第２制御回路７０ｂの制御にしたがい、基準電圧ＶＣＯＭを生成し、かつ、生成された第２基準クロック信号ＣＫ２にもとづいて矩形波の第２タッチ駆動信号ＴＸ２を生成する。第２駆動回路７４ｂは、図３の信号線３６を介して、基準電圧ＶＣＯＭまたは第２タッチ駆動信号ＴＸ２を第２表示装置２２ｂの全体の複数の共通電極３４に供給する。
【００３８】
第２タッチ検出回路７６ｂは、第２表示装置２２ｂへの物体のタッチを検出する。第２タッチ検出回路７６ｂは、第２制御回路７０ｂの制御にしたがい、共通電極３４に第２タッチ駆動信号ＴＸ２が供給されたときのタッチ検出信号ＲＸを共通電極３４から受け、タッチ検出信号ＲＸにもとづいてタッチ位置を検出する。第２タッチ検出回路７６ｂは、検出したタッチ位置の情報を第２制御回路７０ｂに出力する。
【００３９】
第２制御回路７０ｂは、第２タッチ検出回路７６ｂからのタッチ位置の情報にもとづいてタッチ位置の座標データＴＤを導出し、その座標データＴＤを制御装置１２に出力する。
【００４０】
制御装置１２、第１制御回路７０ａ、第２制御回路７０ｂの構成は、ハードウェア資源とソフトウェア資源の協働、またはハードウェア資源のみにより実現できる。ハードウェア資源としてアナログ素子、マイクロコンピュータ、ＤＳＰ、ＲＯＭ、ＲＡＭ、ＦＰＧＡ、その他のＬＳＩを利用できる。ソフトウェア資源としてファームウェア等のプログラムを利用できる。
【００４１】
図４は、第１表示装置２２ａにおける第１フレーム期間Ｆａと、第２表示装置２２ｂにおける第２フレーム期間Ｆｂのタイミングを示す。
【００４２】
第１フレーム期間Ｆａは、４つの第１表示期間Ｄａと、４つの第１タッチ検出期間Ｔ１ａ，Ｔ２ａ，Ｔ３ａ，Ｔ４ａとを含む。第１表示期間Ｄａと第１タッチ検出期間は交互に配置される。第１フレーム期間Ｆａにおいて、第１表示期間Ｄａ、第１タッチ検出期間Ｔ１ａ、第１表示期間Ｄａ、第１タッチ検出期間Ｔ２ａ、第１表示期間Ｄａ、第１タッチ検出期間Ｔ３ａ、第１表示期間Ｄａ、第１タッチ検出期間Ｔ４ａは、この順に並ぶ。
【００４３】
第２フレーム期間Ｆｂは、４つの第２表示期間Ｄｂと、４つの第２タッチ検出期間Ｔ１ｂ，Ｔ２ｂ，Ｔ３ｂ，Ｔ４ｂとを含む。第２表示期間Ｄｂと第２タッチ検出期間は交互に配置される。第２フレーム期間Ｆｂにおいて、第２表示期間Ｄｂ、第２タッチ検出期間Ｔ１ｂ、第２表示期間Ｄｂ、第２タッチ検出期間Ｔ２ｂ、第２表示期間Ｄｂ、第２タッチ検出期間Ｔ３ｂ、第２表示期間Ｄｂ、第２タッチ検出期間Ｔ４ｂは、この順に並ぶ。
【００４４】
第１表示期間Ｄａの長さは、第２表示期間Ｄｂの長さと等しい。第１タッチ検出期間Ｔ１ａからＴ４ａ、第２タッチ検出期間Ｔ１ｂからＴ４ｂのそれぞれの長さは等しい。第１フレーム期間Ｆａの長さは、第２フレーム期間Ｆｂの長さと等しい。第１フレーム期間Ｆａの開始タイミング（時刻ｔ０）は、第２フレーム期間Ｆｂの開始タイミングと一致する。
【００４５】
第１フレーム期間Ｆａの第１表示期間Ｄａの数と第１タッチ検出期間の数、第２フレーム期間Ｆｂの第２表示期間Ｄｂの数と第２タッチ検出期間の数は、それぞれ「４」に限定されない。
【００４６】
第１表示装置２２ａは、第１表示期間Ｄａ毎に１フレームを１／４ずつ表示する。第１フレーム期間Ｆａの４つの第１表示期間Ｄａにより、１フレームが表示される。具体的には第１表示期間Ｄａの間、第３駆動回路７２ａは、複数のソース線にソース信号ＳＳを供給し、対象のゲート線にゲート信号ＧＳを供給し、第１駆動回路７４ａは複数の共通電極３４に基準電圧ＶＣＯＭを供給する。第１駆動回路７４ａは、第１表示期間Ｄａには第１タッチ駆動信号ＴＸ１の供給を停止する。
【００４７】
第２表示装置２２ｂは、第２表示期間Ｄｂ毎に１フレームを１／４ずつ表示する。第２フレーム期間Ｆｂの４つの第２表示期間Ｄｂにより、１フレームが表示される。具体的には第２表示期間Ｄｂの間、第４駆動回路７２ｂは、複数のソース線にソース信号ＳＳを供給し、対象のゲート線にゲート信号ＧＳを供給し、第２駆動回路７４ｂは複数の共通電極３４に基準電圧ＶＣＯＭを供給する。第２駆動回路７４ｂは、第２表示期間Ｄｂには第２タッチ駆動信号ＴＸ２の供給を停止する。
【００４８】
図５（ａ）は、図４の第１タッチ検出期間Ｔ１ａにおける表示装置２２の動作を説明する図である。第１表示装置２２ａと第２表示装置２２ｂは、観察者から見て水平方向に隣接して配置される。
【００４９】
第１表示装置２２ａは、第２表示装置２２ｂに近づく方向に順に並ぶ第１タッチ検出領域Ｒ４ａ，Ｒ３ａ，Ｒ２ａ，Ｒ１ａを含む。つまり第１タッチ検出領域Ｒ１ａ，Ｒ２ａ，Ｒ３ａ，Ｒ４ａは、第１表示装置２２ａと第２表示装置２２ｂの配置方向に沿った方向である水平方向に並ぶ。最も右側の第１タッチ検出領域Ｒ１ａは、第２表示装置２２ｂに隣接する。第１表示装置２２ａの全体の複数の共通電極３４は、第１タッチ検出領域Ｒ１ａからＲ４ａのそれぞれに複数ずつ配置される。
【００５０】
第２表示装置２２ｂは、第１表示装置２２ａから離れる方向に順に並ぶ第２タッチ検出領域Ｒ１ｂ，Ｒ２ｂ，Ｒ３ｂ，Ｒ４ｂを含む。つまり第２タッチ検出領域Ｒ１ｂ，Ｒ２ｂ，Ｒ３ｂ，Ｒ４ｂは、水平方向に並ぶ。最も左側の第２タッチ検出領域Ｒ１ｂは、第１表示装置２２ａに隣接する。第２表示装置２２ｂの全体の複数の共通電極３４は、第２タッチ検出領域Ｒ１ｂからＲ４ｂに複数ずつ配置される。１つの表示装置２２のタッチ検出領域の数は「４」に限定されない。
【００５１】
第１駆動回路７４ａは、第１タッチ検出期間Ｔ１ａの間、第１表示装置２２ａの全体の複数の共通電極３４に第１タッチ駆動信号ＴＸ１を供給する。第１タッチ検出回路７６ａは、第１タッチ検出期間Ｔ１ａの間、検出対象の第１タッチ検出領域Ｒ４ａの複数の共通電極３４から受信したタッチ検出信号ＲＸにもとづいて、第１タッチ検出領域Ｒ４ａへの物体のタッチを検出する。
【００５２】
第２駆動回路７４ｂは、第２タッチ検出期間Ｔ１ｂの間、第２表示装置２２ｂの全体の複数の共通電極３４に第２タッチ駆動信号ＴＸ２を供給する。第２タッチ検出回路７６ｂは、第２タッチ検出期間Ｔ１ｂの間、検出対象の第２タッチ検出領域Ｒ１ｂの複数の共通電極３４から受信したタッチ検出信号ＲＸにもとづいて、第２タッチ検出領域Ｒ１ｂへの物体のタッチを検出する。
【００５３】
図５（ｂ）は、第１タッチ検出期間Ｔ２ａにおける表示装置２２の動作を説明する図である。各タッチ検出期間の第１駆動回路７４ａと第２駆動回路７４ｂの動作は共通するため、以下、説明を省略する。第１タッチ検出回路７６ａは、第１タッチ検出期間Ｔ２ａの間、検出対象の第１タッチ検出領域Ｒ３ａの複数の共通電極３４から受信したタッチ検出信号ＲＸにもとづいて、第１タッチ検出領域Ｒ３ａでタッチを検出する。
【００５４】
第２タッチ検出回路７６ｂは、第２タッチ検出期間Ｔ２ｂの間、検出対象の第２タッチ検出領域Ｒ２ｂの複数の共通電極３４から受信したタッチ検出信号ＲＸにもとづいて、第２タッチ検出領域Ｒ２ｂでタッチを検出する。
【００５５】
図６（ａ）は、第１タッチ検出期間Ｔ３ａにおける表示装置２２の動作を説明する図である。第１タッチ検出回路７６ａは、第１タッチ検出期間Ｔ３ａの間、検出対象の第１タッチ検出領域Ｒ２ａの複数の共通電極３４から受信したタッチ検出信号ＲＸにもとづいて、第１タッチ検出領域Ｒ２ａでタッチを検出する。
【００５６】
第２タッチ検出回路７６ｂは、第２タッチ検出期間Ｔ３ｂの間、検出対象の第２タッチ検出領域Ｒ３ｂの複数の共通電極３４から受信したタッチ検出信号ＲＸにもとづいて、第２タッチ検出領域Ｒ３ｂでタッチを検出する。
【００５７】
図６（ｂ）は、第１タッチ検出期間Ｔ４ａにおける表示装置２２の動作を説明する図である。第１タッチ検出回路７６ａは、第１タッチ検出期間Ｔ４ａの間、検出対象の第１タッチ検出領域Ｒ１ａの複数の共通電極３４から受信したタッチ検出信号ＲＸにもとづいて、第１タッチ検出領域Ｒ１ａでタッチを検出する。
【００５８】
第２タッチ検出回路７６ｂは、第２タッチ検出期間Ｔ４ｂの間、検出対象の第２タッチ検出領域Ｒ４ｂの複数の共通電極３４から受信したタッチ検出信号ＲＸにもとづいて、第２タッチ検出領域Ｒ４ｂでタッチを検出する。
【００５９】
このように第１タッチ検出回路７６ａは、第１タッチ検出期間毎に異なる第１タッチ検出領域でタッチを検出する。第１フレーム期間Ｆａの４つの第１タッチ検出期間により、１画面のタッチ検出が１回実行される。
【００６０】
第２タッチ検出回路７６ｂは、第２タッチ検出期間毎に異なる第２タッチ検出領域でタッチを検出する。第２フレーム期間Ｆｂの４つの第２タッチ検出期間により、１画面のタッチ検出が１回実行される。
【００６１】
図７（ａ）は、各タッチ検出期間における第１タッチ駆動信号ＴＸ１と第１表示装置２２ａの共通電極３４の電圧Ｖｃ１の波形を示す。図７（ｂ）は、各タッチ検出期間における第２タッチ駆動信号ＴＸ２と第２表示装置２２ｂの共通電極３４の電圧Ｖｃ２の波形を示す。
【００６２】
表示装置２２内の共通電極３４の位置に応じて、すなわち信号線３６の長さに応じて、共通電極３４毎に電圧Ｖｃ１，Ｖｃ２の波形は異なりうる。信号線３６の抵抗値が大きいほど充電時間と放電時間が長くなるためである。図示する電圧Ｖｃ１，Ｖｃ２の波形は、それぞれ、充電時間と放電時間が最も長い共通電極３４のものである。
【００６３】
第１タッチ駆動信号ＴＸ１は、第１電圧Ｖ１と第２電圧Ｖ２の間で変化する。ここでは第１電圧Ｖ１はローレベルであり、第２電圧Ｖ２は第１電圧Ｖ１より高いハイレベルであるが、その逆でもよい。
【００６４】
第１タッチ駆動信号ＴＸ１が第１電圧Ｖ１から第２電圧Ｖ２に変化するタイミングを第１タイミングＡ１とし、第２電圧Ｖ２から第１電圧Ｖ１に変化するタイミングを第３タイミングＡ３とする。
【００６５】
第１タイミングＡ１で共通電極３４の充電が開始され、電圧Ｖｃ１は第１電圧Ｖ１から増加し、第５タイミングＡ５で実質的に第２電圧Ｖ２になる。第５タイミングＡ５は、第１表示装置２２ａの全体の複数の共通電極３４の電圧Ｖｃ１が実質的に第２電圧Ｖ２になるタイミングである。全ての共通電極３４の電圧Ｖｃ１が第２電圧Ｖ２の第１割合以上になった場合、電圧Ｖｃ１が実質的に第２電圧Ｖ２になるとする。第１割合は、たとえば９５％、９８％などであり、実験やシミュレーションにより適宜設定できる。
【００６６】
その後、第３タイミングＡ３で共通電極３４の放電が開始され、電圧Ｖｃ１は第２電圧Ｖ２から低下し、第７タイミングＡ７で実質的に第１電圧Ｖ１になる。第７タイミングＡ７は、第１表示装置２２ａの全体の複数の共通電極３４の電圧Ｖｃが実質的に第１電圧Ｖ１になるタイミングである。全ての共通電極３４の電圧Ｖｃ１が第１電圧Ｖ１の予め定められた第２割合以下になった場合、電圧Ｖｃ１が実質的に第１電圧Ｖ１になるとする。第２割合は、たとえば１０５％、１０２％などであり、実験やシミュレーションにより適宜設定できる。
【００６７】
第１タッチ検出回路７６ａは、第１タイミングＡ１から予め定められた第１時間ｔ１が経過した第１取得タイミングＤ１と、第３タイミングＡ３から第１時間ｔ１が経過した第３取得タイミングＤ３のそれぞれにおいて複数の共通電極３４のそれぞれの静電容量にもとづく複数の第１検出値を取得する。第１タッチ検出回路７６ａは、第１タイミングＡ１から第１取得タイミングＤ１までの間、および、第３タイミングＡ３から第３取得タイミングＤ３までの間のそれぞれに各共通電極３４から受信したタッチ検出信号ＲＸにもとづいて第１検出値を導出する。第１検出値の導出には周知の技術を利用できる。それぞれの第１検出値は、対応する共通電極３４の静電容量と基準静電容量との差分値を表す。物体のタッチによる共通電極３４の静電容量の変化量が大きいほど、第１検出値は大きくなる。タッチがなく、共通電極３４の静電容量の変化量がゼロであれば、第１検出値はゼロである。第１タッチ検出回路７６ａは、取得した複数の第１検出値にもとづいてタッチを検出する。タッチを検出するタイミングは特に限定されず、第１取得タイミングＤ１毎および第３取得タイミングＤ３毎であってもよいし、いくつかの取得タイミング毎であってもよい。第１タッチ検出回路７６ａは、各共通電極３４の第１検出値と、所定のタッチ検出閾値を比較し、第１検出値がタッチ検出閾値以上のとき、当該共通電極３４の位置にタッチ有りと判定する。第１取得タイミングＤ１が第５タイミングＡ５より後になり、第３取得タイミングＤ３が第７タイミングＡ７より後になるように、第１時間ｔ１は実験やシミュレーションにより適宜設定できる。
【００６８】
第２タッチ駆動信号ＴＸ２は、第３電圧Ｖ３と第４電圧Ｖ４の間で変化する。ここでは第３電圧Ｖ３はローレベルであり、第４電圧Ｖ４は第３電圧Ｖ３より高いハイレベルであるが、その逆でもよい。第１電圧Ｖ１と第３電圧Ｖ３は実質的に等しいが、異なってもよい。第２電圧Ｖ２と第４電圧Ｖ４は実質的に等しいが、異なってもよい。
【００６９】
第２タッチ駆動信号ＴＸ２が第３電圧Ｖ３から第４電圧Ｖ４に変化するタイミングを第２タイミングＡ２とし、第４電圧Ｖ４から第３電圧Ｖ３に変化するタイミングを第４タイミングＡ４とする。
【００７０】
第１タッチ駆動信号ＴＸ１と第２タッチ駆動信号ＴＸ２の周波数は実質的に等しく、デューティ比も実質的に等しい。第２タッチ駆動信号ＴＸ２は、第１タッチ駆動信号ＴＸ１に対して、予め定められた位相差を有する。この例では、第２タイミングＡ２は第１タイミングＡ１より遅く、第４タイミングＡ４は第３タイミングＡ３より遅い。
【００７１】
第２タイミングＡ２で共通電極３４の充電が開始され、電圧Ｖｃ２は第３電圧Ｖ３から増加し、第６タイミングＡ６で実質的に第４電圧Ｖ４になる。第６タイミングＡ６は、第２表示装置２２ｂの全体の複数の共通電極３４の電圧Ｖｃ２が実質的に第４電圧Ｖ４になるタイミングである。全ての共通電極３４の電圧Ｖｃ２が第４電圧Ｖ４の第１割合以上になった場合、電圧Ｖｃ２が実質的に第４電圧Ｖ４になるとする。
【００７２】
第４タイミングＡ４で共通電極３４の放電が開始され、電圧Ｖｃ２は第４電圧Ｖ４から低下し、第８タイミングＡ８で実質的に第３電圧Ｖ３になる。第４タイミングＡ４は、第２表示装置２２ｂの全体の複数の共通電極３４の電圧Ｖｃ２が実質的に第３電圧Ｖ３になるタイミングである。全ての共通電極３４の電圧Ｖｃ２が第３電圧Ｖ３の第２割合になった場合、電圧Ｖｃ２が実質的に第３電圧Ｖ３になるとする。
【００７３】
第２タッチ検出回路７６ｂは、第２タイミングＡ２から予め定められた第２時間ｔ２が経過した第２取得タイミングＤ２と、第４タイミングＡ４から第２時間ｔ２が経過した第４取得タイミングＤ４のそれぞれにおいて複数の共通電極３４のそれぞれの静電容量にもとづく複数の第２検出値を取得する。第２タッチ検出回路７６ｂは、第２タイミングＡ２から第２取得タイミングＤ２までの間、および、第４タイミングＡ４から第４取得タイミングＤ４までの間のそれぞれに各共通電極３４から受信したタッチ検出信号ＲＸにもとづいて第２検出値を導出する。それぞれの第２検出値は、共通電極３４の静電容量と基準静電容量との差分値を表す。第２タッチ検出回路７６ｂは、取得した複数の第２検出値にもとづいてタッチを検出する。タッチを検出するタイミングは特に限定されない。第２タッチ検出回路７６ｂは、各共通電極３４の第２検出値と、所定のタッチ検出閾値を比較し、第２検出値がタッチ検出閾値以上のとき、当該共通電極３４の位置にタッチ有りと判定する。第２取得タイミングＤ２が第６タイミングＡ６より後になり、第４取得タイミングＤ４が第８タイミングＡ８より後になるように、第２時間ｔ２は実験やシミュレーションにより適宜設定できる。
【００７４】
このようにタッチ検出回路７６は、タッチ駆動信号ＴＸの立ち上がりタイミングと立ち下がりタイミングのそれぞれにもとづいてタッチを検出する。
【００７５】
第１タイミングＡ１から第１取得タイミングＤ１までの第１期間Ｐ１、および、第３タイミングＡ３から第３取得タイミングＤ３までの第５期間Ｐ５は、第２タイミングＡ２から第２取得タイミングＤ２までの第３期間Ｐ３に非重複である。第１期間Ｐ１および第５期間Ｐ５は、第４タイミングＡ４から第４取得タイミングＤ４までの第６期間Ｐ６にも非重複である。
【００７６】
図示する例では、第３期間Ｐ３は、第１取得タイミングＤ１より後に開始し、第３タイミングＡ３より前に終了する。第６期間Ｐ６は、第３取得タイミングＤ３より後に開始し、第１タイミングＡ１より前に終了する。第２駆動回路７４ｂは、これらの条件が満たされるように第２タッチ駆動信号ＴＸ２を生成する。
【００７７】
図８（ａ）は、各タッチ検出期間における第１タッチ駆動信号ＴＸ１と第１表示装置２２ａの共通電極３４の電圧Ｖｃ１の波形の別の例を示す。図８（ｂ）は、各タッチ検出期間における第２タッチ駆動信号ＴＸ２と第２表示装置２２ｂの共通電極３４の電圧Ｖｃ２の波形の別の例を示す。
【００７８】
この例では、第２タイミングＡ２は第１タイミングＡ１より早く、第４タイミングＡ４は第３タイミングＡ３より早い。第３期間Ｐ３は、第３取得タイミングＤ３より後に開始し、第１タイミングＡ１より前に終了する。第６期間Ｐ６は、第１取得タイミングＤ１より後に開始し、第３タイミングＡ３より前に終了する。
【００７９】
つまり、第１期間Ｐ１と第５期間Ｐ５が第３期間Ｐ３に非重複であり、第６期間Ｐ６にも非重複であれば、第１タッチ駆動信号ＴＸ１の位相が第２タッチ駆動信号ＴＸ２の位相より進んでもよいし遅れてもよい。
【００８０】
ここで、比較例について説明する。図９（ａ）は、比較例の表示システムの第１タッチ検出期間Ｔ４ａにおける表示装置２２の動作を説明する図である。図９（ｂ）は、比較例の各タッチ検出期間における第１タッチ駆動信号ＴＸ１の波形を示し、図９（ｃ）は、比較例の各タッチ検出期間における第２タッチ駆動信号ＴＸ２の波形を示す。
【００８１】
比較例では、第１タッチ駆動信号ＴＸ１と第２タッチ駆動信号ＴＸ２の間の位相差がゼロであることが、本実施の形態と異なる。つまり比較例では、第１タッチ駆動信号ＴＸ１と第２タッチ駆動信号ＴＸ２の間で、立ち上がりタイミングが一致し、立ち下がりタイミングが一致する。
【００８２】
第１タッチ検出領域Ｒ１ａのタッチ検出中、第２表示装置２２ｂの全体の複数の共通電極３４に第２タッチ駆動信号ＴＸ２が供給され、第２タッチ検出領域Ｒ４ｂでもタッチ検出が実行される。このとき、第２タッチ駆動信号ＴＸ２が立ち上がったことでノイズが発生し、そのノイズが第１期間Ｐ１において充電を開始した第１タッチ検出領域Ｒ１ａの共通電極３４の電荷に影響を与える可能性がある。また、第２タッチ駆動信号ＴＸ２が立ち下がったことでノイズが発生し、そのノイズが第５期間Ｐ５において放電を開始した第１タッチ検出領域Ｒ１ａの共通電極３４の電荷に影響を与える可能性がある。
【００８３】
その結果、第１期間Ｐ１と第５期間Ｐ５における第１タッチ検出領域Ｒ１ａのタッチ検出信号ＲＸが影響を受け、第１タッチ検出回路７６ａは、第１取得タイミングＤ１と第３取得タイミングＤ３のそれぞれにおいて、ノイズの影響を受けた第１検出値を取得する可能性があり、そのため、第１タッチ検出領域Ｒ１ａに物体が接触していなくても接触があったと誤検出する可能性がある。
【００８４】
図示は省略するが、第２タッチ検出期間Ｔ１ｂでも、第１表示装置２２ａの共通電極３４に供給された第１タッチ駆動信号ＴＸ１によりノイズが発生する。そのノイズにより第２タッチ検出領域Ｒ１ｂのタッチ検出信号ＲＸが変化し、第２タッチ検出回路７６ｂは、第２タッチ検出領域Ｒ１ｂに物体が接触していなくても接触があったと誤検出する可能性がある。誤検出は、隣の表示装置２２からのノイズの影響を最も受けやすい隣の表示装置２２に隣接する第１タッチ検出領域Ｒ１ａと第２タッチ検出領域Ｒ１ｂのタッチ検出で発生しやすい。
【００８５】
この比較例に対して本実施の形態では、既述のように第１期間Ｐ１と第５期間Ｐ５が第３期間Ｐ３に非重複であり、第６期間Ｐ６にも非重複であるため、一方の表示装置２２のタッチ駆動信号ＴＸが立ち上がったり立ち下がったりすることでノイズが発生しても、ノイズが発生したときに他方の表示装置２２の共通電極３４は充電中でも放電中でもない。そのため、他方の表示装置２２ではタッチ検出においてそのノイズの影響を受け難くなる。
【００８６】
よって、第２表示装置２２ｂに隣接する第１タッチ検出領域Ｒ１ａ、および、第１表示装置２２ａに隣接する第２タッチ検出領域Ｒ１ｂのタッチ検出において、比較例よりも誤検出を抑制できる。
【００８７】
ここで、本実施の形態と異なり、第１表示装置２２ａの複数の共通電極３４の充電が実質的に完了した第５タイミングＡ５の後であって第１取得タイミングＤ１の前に、第２タッチ駆動信号ＴＸ２が立ち上がり、ノイズが発生した場合、ノイズが共通電極３４の電荷に影響を与えうる。そのため、第１取得タイミングＤ１にてノイズの影響を受けた第１検出値が取得される可能性があり、その結果、タッチが誤検出される可能性がある。第７タイミングＡ７の後であって第３取得タイミングＤ３の前に、第２タッチ駆動信号ＴＸ２が立ち上がる場合なども同様である。本実施の形態では、このような誤検出も抑制できる。
【００８８】
次に、以上の構成による表示システム１の全体的な動作を説明する。図１０は、図１の表示システム１の起動処理を示すフローチャートである。ホスト１０は第１表示制御装置２４ａと第２表示制御装置２４ｂを起動し（Ｓ１０）、第１表示制御装置２４ａは第２表示制御装置２４ｂに同期信号ＳＹを送信する（Ｓ１２）。第２表示制御装置２４ｂは、受信した同期信号ＳＹにもとづいて、第２フレーム期間Ｆｂの開始タイミングを設定し、第１タッチ駆動信号ＴＸ１に対して位相差を有する第２タッチ駆動信号ＴＸ２で第２表示装置２２ｂを駆動し（Ｓ１４）、処理を終了する。
【００８９】
本実施の形態によれば、タッチ検出期間において、一方の表示装置２２の共通電極３４の充電開始または放電開始から取得タイミングまでの間に、他方の表示装置２２のタッチ駆動信号ＴＸのノイズが発生しないので、誤検出を抑制できる。
【００９０】
また、第１タッチ駆動信号ＴＸ１と第２タッチ駆動信号ＴＸ２が位相差を有することで、第１タッチ駆動信号ＴＸ１の立ち上がりまたは立ち下がりによるノイズと第２タッチ駆動信号ＴＸ２の立ち上がりまたは立ち下がりによるノイズがそれぞれ異なるタイミングで発生する。よって、これらのノイズが加算されにくいので、タッチ駆動信号ＴＸに起因する２つの表示装置２２からの電磁波の輻射を比較例より低減できる。
【００９１】
（第２の実施の形態）
第２の実施の形態では、タッチ駆動信号ＴＸの立ち下がりタイミングにもとづいたタッチ検出が実行されないことが第１の実施の形態と異なる。以下、第１の実施の形態との相違点を中心に説明する。
【００９２】
図１１（ａ）は、第２の実施の形態に係る各タッチ検出期間における第１タッチ駆動信号ＴＸ１と第１表示装置２２ａの共通電極３４の電圧Ｖｃ１の波形を示す。図１１（ｂ）は、第２の実施の形態に係る各タッチ検出期間における第２タッチ駆動信号ＴＸ２と第２表示装置２２ｂの共通電極３４の電圧Ｖｃ２の波形を示す。
【００９３】
第１タッチ検出回路７６ａは、第１取得タイミングＤ１のみで第１検出値を取得する。第２タッチ検出回路７６ｂは、第２取得タイミングＤ２のみで第２検出値を取得する。
【００９４】
第１期間Ｐ１、および、第３タイミングＡ３から第７タイミングＡ７までの第２期間Ｐ２は、第３期間Ｐ３に非重複である。第１期間Ｐ１および第２期間Ｐ２は、第４タイミングＡ４から第８タイミングＡ８までの第４期間Ｐ４にも非重複である。第２期間Ｐ２と第４期間Ｐ４は、放電期間ともいえる。
【００９５】
第２期間Ｐ２の間、時間経過に伴いノイズ量は減少するが、共通電極３４の放電中にノイズが発生しうる。第４期間Ｐ４においても同様である。本実施の形態では、第３期間Ｐ３は第２期間Ｐ２に重複しないため、第２期間Ｐ２に発生するノイズが第３期間Ｐ３の充電とタッチ検出に影響を与えにくい。第１期間Ｐ１は第４期間Ｐ４に重複しないため、第４期間Ｐ４に発生するノイズが第１期間Ｐ１の充電とタッチ検出に影響を与えにくい。
【００９６】
よって、タッチ駆動信号ＴＸの立ち上がりタイミングのみにもとづいたタッチ検出が実行される場合に誤検出を抑制できる。
【００９７】
なお、タッチ駆動信号ＴＸの立ち下がりタイミングのみにもとづいたタッチ検出が実行されてもよい。この場合、第１電圧Ｖ１が第２電圧Ｖ２より高く、第３電圧Ｖ３が第４電圧Ｖ４より高いとすればよい。第２期間Ｐ２と第４期間Ｐ４は、充電期間ともいえる。共通電極３４の充電中にノイズが発生しうるが、上述のようにタッチ検出に影響を与えにくい。
【００９８】
さらに、一方の表示装置２２ではタッチ駆動信号ＴＸの立ち上がりタイミングのみにもとづいたタッチ検出が実行され、他方の表示装置２２ではタッチ駆動信号ＴＸの立ち下がりタイミングのみにもとづいたタッチ検出が実行されてもよい。これらの場合、表示システム１の構成の自由度を向上できる。
【００９９】
（第３の実施の形態）
第３の実施の形態では、外来ノイズの検出結果にもとづいてタッチ駆動信号ＴＸの周波数を変更することが第１の実施の形態と異なる。以下、第１の実施の形態との相違点を中心に説明する。
【０１００】
表示システム１の周囲の電子機器などから放射される外来ノイズの周波数がタッチ駆動信号ＴＸの周波数と等しい場合、タッチ検出の精度や感度が低下する可能性がある。そこで表示システム１は、外来ノイズの量に応じて、いわゆる周波数ホッピングの制御を行う。周波数ホッピングには、周知の技術を利用できる。
【０１０１】
第１タッチ検出回路７６ａは、第１タッチ駆動信号ＴＸ１の供給が停止されている場合、すなわち第１表示期間Ｄａにおいて、第１表示装置２２ａの複数の共通電極３４から受信したタッチ検出信号ＲＸに含まれる所定の複数の周波数のノイズ量を測定する。複数の周波数は、第１タッチ駆動信号ＴＸ１の周波数を含む。第１タッチ検出回路７６ａは、第１タッチ駆動信号ＴＸ１の周波数の所定レベル以上のノイズが検出された場合、測定されたノイズ量が最小である周波数の情報を含むノイズ検出情報を第１制御回路７０ａに出力する。
【０１０２】
第１制御回路７０ａは、ノイズ検出情報にもとづいて、第１タッチ駆動信号ＴＸ１の周波数をノイズ量が最小である周波数に変更するように第１駆動回路７４ａを制御する。第１制御回路７０ａは、ノイズ量が最小である周波数の情報を含む周波数変更指示を第２制御回路７０ｂに出力する。第２制御回路７０ｂは、第１制御回路７０ａから出力された周波数変更指示にもとづいて、第２タッチ駆動信号ＴＸ２の周波数をノイズ量が最小である周波数に変更するように第２駆動回路７４ｂを制御する。
【０１０３】
第１駆動回路７４ａは、第１制御回路７０ａの制御にしたがい、ノイズ量が最小である周波数、すなわち所定レベル以上のノイズの周波数と異なる周波数の第１タッチ駆動信号ＴＸ１を共通電極３４に供給する。第２駆動回路７４ｂは、第２制御回路７０ｂの制御にしたがい、変更された第１タッチ駆動信号ＴＸ１の周波数と同じ周波数の第２タッチ駆動信号ＴＸ２を共通電極３４に供給する。これにより、外来ノイズによるタッチ検出精度や感度の低下を抑制できる。
【０１０４】
図１２（ａ）は、第３の実施の形態に係る第１タッチ駆動信号ＴＸ１の波形を示す。図１２（ｂ）は、第３の実施の形態に係る第２タッチ駆動信号ＴＸ２の波形を示す。これらの波形は、第１表示期間Ｄａの波形であり、共通電極３４には供給されていない。
【０１０５】
第１タッチ駆動信号ＴＸ１が周波数ｆ１である状態で、時刻ｔ１０で周波数ｆ１の所定レベル以上の外来ノイズが検出されると、時刻ｔ１０以降、第１タッチ駆動信号ＴＸ１の周波数は、ノイズ量が最小である周波数ｆ２に変更される。第１期間Ｐ１と第５期間Ｐ５のそれぞれの長さは、たとえば周波数の変更前後で同一である。
【０１０６】
第２タッチ駆動信号ＴＸ２が周波数ｆ１である状態で、時刻ｔ１１で第２制御回路７０ｂが周波数変更指示を受けると、時刻ｔ１１以降、第２タッチ駆動信号ＴＸ２の周波数は周波数ｆ２に変更される。第３期間Ｐ３と第６期間Ｐ６のそれぞれの長さは、たとえば周波数の変更前後で同一である。第２駆動回路７４ｂは、周波数の変更後も、第１期間Ｐ１と第５期間Ｐ５が第２期間Ｐ２に非重複であり、第６期間Ｐ６にも非重複であるように、第２タッチ駆動信号ＴＸ２を生成する。
【０１０７】
本実施の形態によれば、外来ノイズが検出されたことでタッチ駆動信号ＴＸの周波数が変更された場合でも、第１期間Ｐ１と第５期間Ｐ５が第３期間Ｐ３に非重複であり、第６期間Ｐ６にも非重複であるため、誤検出を抑制できる。
【０１０８】
（第４の実施の形態）
第４の実施の形態では、ホスト１０の制御装置１２が第１表示装置２２ａと第２表示装置２２ｂに同期信号ＳＹを送信することが第１の実施の形態と異なる。以下、第１の実施の形態との相違点を中心に説明する。
【０１０９】
図１３は、第４の実施の形態に係る表示システム１のブロック図である。制御装置１２は、たとえば第１フレーム期間の開始タイミング毎に共通の同期信号ＳＹを第１表示制御装置２４ａと第２表示制御装置２４ｂに送信する。第１表示制御装置２４ａは、第２表示制御装置２４ｂに同期信号を送信しない。
【０１１０】
第１クロック生成回路７８ａは、制御装置１２から供給された同期信号ＳＹにもとづいて、同期信号ＳＹに同期した第１基準クロック信号ＣＫ１を生成する。第２クロック生成回路７８ｂは、制御装置１２から供給された同期信号ＳＹにもとづいて、同期信号ＳＹに同期した第２基準クロック信号ＣＫ２を生成する。
【０１１１】
図１４は、図１３の表示システム１の起動処理を示すフローチャートである。ホスト１０は、第１表示制御装置２４ａと第２表示制御装置２４ｂを起動し（Ｓ２０）、第１表示制御装置２４ａと第２表示制御装置２４ｂに同期信号ＳＹを送信する（Ｓ２２）。ホスト１０は、第１表示装置２２ａ用の位相差を指示する制御データＣＤを第１表示制御装置２４ａに送信し（Ｓ２４）、第１表示制御装置２４ａは、受信した制御データＣＤと同期信号ＳＹにしたがった第１タッチ駆動信号ＴＸ１で第１表示装置２２ａを駆動し（Ｓ２６）、処理を終了する。またホスト１０は、Ｓ２４と並行して、第２表示装置２２ｂ用の位相差を指示する制御データＣＤを第２表示制御装置２４ｂに送信し（Ｓ２８）。第２表示制御装置２４ｂは、受信した制御データＣＤと同期信号ＳＹにしたがった第２タッチ駆動信号ＴＸ２で第２表示装置２２ｂを駆動し（Ｓ３０）、処理を終了する。
【０１１２】
本実施の形態によれば、表示システム１の構成の自由度を向上できる。
【０１１３】
以上、本発明について、実施の形態をもとに説明した。この実施の形態は例示であり、それらの各構成要素あるいは各処理プロセスの組合せにいろいろな変形例が可能なこと、また、そうした変形例も本発明の範囲にあることは当業者に理解されるところである。
【０１１４】
例えば、第２基準クロック信号ＣＫ２は、第１基準クロック信号ＣＫ１に対する位相差がゼロ以外に設定され、第２駆動回路７４ｂは、第２基準クロック信号ＣＫ２に同期した第２タッチ駆動信号ＴＸ２を生成してもよい。この場合、第１基準クロック信号ＣＫ１と第２基準クロック信号ＣＫ２の間の位相差は、第１タッチ駆動信号ＴＸ１と第２タッチ駆動信号ＴＸ２の位相差が既述の関係を満たすように設定される。
【０１１５】
また、第３の実施の形態を第２の実施の形態と組み合わせてもよい。第４の実施の形態を第２および第３の実施の形態の少なくとも一方と組み合わせてもよい。組合せによって生じる新たな実施の形態は、組み合わされる実施の形態それぞれの効果をあわせもつ。
【０１１６】
また、３以上の表示装置２２が隣接して配置されてもよい。実施の形態では表示制御装置２４が表示モジュール２０に含まれるが、表示制御装置２４はホスト１０に含まれてもよい。フレーム期間は、表示装置２２のタッチ検出領域の数の２倍以上のタッチ検出期間を含んでもよい。これらの変形例では、表示システム１の構成の自由度を向上できる。
【０１１７】
なお、本開示の各実施形態において、２つの表示装置２２が隣接している状態について述べたが、表示装置２２ａおよび表示装置２２ｂは、ベゼルなどのフレームを介して当接していてもよい。また、表示装置２２ａおよび表示装置２２ｂは、数ｍｍ〜数ｃｍの空間を介して隣り合うよう配置されるとしてもよい。このとき、表示モジュール２０ａと表示モジュール２０ｂとはそれぞれ異なるフレームに配置されているとしてもよい。また、表示モジュール２０ａと表示モジュール２０ｂはフレームを介して一体となって配置されているとしてもよい。上述した３以上の表示装置２２が配置される場合においても同様である。
【０１１８】
インセル型の表示装置２２について説明したが、表示装置２２はアウトセル型であってもよい。この場合、表示装置２２は、タッチ検出専用のセンサ電極を備え、画像表示と並行して、センサ電極を用いてタッチを検出する。アウトセル型の表示装置２２の場合でも、誤検出を抑制できる。
【０１１９】
本発明の一態様は、次の通りである。
［項目１］
複数の第１センサ電極を有する第１表示装置と、
前記第１表示装置と隣接して配置され、複数の第２センサ電極を有する第２表示装置と、
第１電圧と第２電圧との間で変化する第１タッチ駆動信号を前記複数の第１センサ電極に供給する第１駆動回路と、
第３電圧と第４電圧との間で変化し、前記第１タッチ駆動信号に対して位相差を有する第２タッチ駆動信号を前記複数の第２センサ電極に供給する第２駆動回路と、
前記第１タッチ駆動信号が前記第１電圧から前記第２電圧に変化する第１タイミングから予め定められた第１時間が経過した第１取得タイミングにおいて前記複数の第１センサ電極のそれぞれの静電容量にもとづく複数の第１検出値を取得し、取得した前記複数の第１検出値にもとづいて前記第１表示装置への物体のタッチを検出する第１タッチ検出回路と、
前記第２タッチ駆動信号が前記第３電圧から前記第４電圧に変化する第２タイミングから予め定められた第２時間が経過した第２取得タイミングにおいて前記複数の第２センサ電極のそれぞれの静電容量にもとづく複数の第２検出値を取得し、取得した前記複数の第２検出値にもとづいて前記第２表示装置への物体のタッチを検出する第２タッチ検出回路と、
を備え、
前記第１タイミングから前記第１取得タイミングまでの第１期間、および、前記第１タッチ駆動信号が前記第２電圧から前記第１電圧に変化する第３タイミングから前記複数の第１センサ電極の電圧が実質的に前記第１電圧になるタイミングまでの第２期間は、前記第２タイミングから前記第２取得タイミングまでの第３期間に非重複である、ことを特徴とする表示システム。
この態様によると、第１期間が第３期間に非重複であるため、第１表示装置でのタッチ検出において、第２タッチ駆動信号が第３電圧から第４電圧に変化したことにより発生するノイズの影響を受けにくくできる。第１期間および第２期間が第３期間に非重複であるため、第２表示装置でのタッチ検出において、第１タッチ駆動信号が第１電圧から第２電圧または第２電圧から第１電圧に変化したことにより発生するノイズの影響を受けにくくできる。よって、誤検出を抑制できる。
【０１２０】
［項目２］
前記第２タッチ駆動信号が前記第４電圧から前記第３電圧に変化する第４タイミングから前記複数の第２センサ電極の電圧が実質的に前記第３電圧になるタイミングまでの第４期間は、前記第１期間および前記第２期間に非重複である、ことを特徴とする項目１に記載の表示システム。
この場合、第１表示装置でのタッチ検出において、第２タッチ駆動信号が第４電圧から第３電圧に変化したことにより発生するノイズの影響を受けにくくできる。
【０１２１】
［項目３］
前記第１タッチ検出回路は、前記第３タイミングから前記第２期間の長さより長い前記第１時間が経過した第３取得タイミングにおいても前記複数の第１検出値を取得し、
前記第１期間、および、前記第３タイミングから前記第３取得タイミングまでの第５期間は、前記第３期間に非重複である、ことを特徴とする項目２に記載の表示システム。
この場合、第１タッチ駆動信号の立ち上がりと立ち下がりのそれぞれにもとづいてタッチを検出する場合に、誤検出を抑制できる。
【０１２２】
［項目４］
前記第２タッチ検出回路は、前記第４タイミングから前記第４期間の長さより長い前記第２時間が経過した第４取得タイミングにおいても前記複数の第２検出値を取得し、
前記第４タイミングから前記第４取得タイミングまでの第６期間は、前記第１期間および前記第５期間に非重複である、ことを特徴とする項目３に記載の表示システム。
この場合、第２タッチ駆動信号の立ち上がりと立ち下がりのそれぞれにもとづいてタッチを検出する場合に、誤検出を抑制できる。
【０１２３】
［項目５］
前記第１駆動回路は、第１基準クロック信号にもとづいて前記第１タッチ駆動信号を生成し、
前記第２駆動回路は、前記第１基準クロック信号に対する位相差が設定された第２基準クロック信号にもとづいて前記第２タッチ駆動信号を生成する、ことを特徴とする項目１から４のいずれかに記載の表示システム。
この場合、表示システムの構成の自由度を向上できる。
【０１２４】
［項目６］
前記第２駆動回路は、前記第２基準クロック信号にもとづいて、前記第１タッチ駆動信号の周波数と同じ周波数の前記第２タッチ駆動信号を生成する、ことを特徴とする項目５に記載の表示システム。
この場合、表示システムの構成の自由度を向上できる。
【０１２５】
［項目７］
前記第１基準クロック信号と、当該第１基準クロック信号に同期した同期信号とを生成する第１クロック生成回路と、
前記第１クロック生成回路で生成された前記同期信号にもとづいて前記第２基準クロック信号を生成する第２クロック生成回路と、
を備えることを特徴とする項目５または６に記載の表示システム。
この場合、表示システムの構成の自由度を向上できる。
【０１２６】
［項目８］
同期信号を出力する制御装置と、
前記制御装置から出力された前記同期信号にもとづいて前記第１基準クロック信号を生成する第１クロック生成回路と、
前記制御装置から出力された前記同期信号にもとづいて前記第２基準クロック信号を生成する第２クロック生成回路と、
を備えることを特徴とする項目５または６に記載の表示システム。
この場合、表示システムの構成の自由度を向上できる。
【０１２７】
［項目９］
前記第１駆動回路は、予め定められたタッチ検出期間の間、前記第１タッチ駆動信号を供給し、前記タッチ検出期間以外では前記第１タッチ駆動信号の供給を停止し、
前記第１タッチ検出回路は、前記第１タッチ駆動信号の供給が停止されている場合、第１センサ電極から受信した信号に含まれる前記第１タッチ駆動信号の周波数のノイズを検出し、
前記第１タッチ検出回路でノイズが検出された場合、前記第１駆動回路は、ノイズの周波数と異なる周波数の前記第１タッチ駆動信号を供給し、かつ、前記第２駆動回路は、変更された前記第１タッチ駆動信号の周波数と同じ周波数の前記第２タッチ駆動信号を供給し、
前記第１タッチ検出回路でノイズが検出された場合でも、前記第１期間および前記第２期間は前記第３期間に非重複である、ことを特徴とする項目１から８のいずれかに記載の表示システム。
この場合、第１タッチ検出回路でノイズが検出され、タッチ駆動信号の周波数が変更された場合にも、誤検出を抑制できる。
【０１２８】
［項目１０］
複数の第１センサ電極を有する第１表示装置と、
前記第１表示装置と隣接して配置され、複数の第２センサ電極を有する第２表示装置と、
第１電圧と第２電圧との間で変化する第１タッチ駆動信号を前記複数の第１センサ電極に供給する第１駆動回路と、
第３電圧と第４電圧との間で変化し、前記第１タッチ駆動信号に対して位相差を有する第２タッチ駆動信号を前記複数の第２センサ電極に供給する第２駆動回路と、
前記第１タッチ駆動信号が前記第１電圧から前記第２電圧に変化する第１タイミングから予め定められた第１時間が経過した第１取得タイミングにおいて前記複数の第１センサ電極のそれぞれの静電容量にもとづく複数の第１検出値を取得し、取得した前記複数の第１検出値にもとづいて前記第１表示装置への物体のタッチを検出する第１タッチ検出回路と、
前記第２タッチ駆動信号が前記第３電圧から前記第４電圧に変化する第２タイミングから予め定められた第２時間が経過した第２取得タイミングにおいて前記複数の第２センサ電極のそれぞれの静電容量にもとづく複数の第２検出値を取得し、取得した前記複数の第２検出値にもとづいて前記第２表示装置への物体のタッチを検出する第２タッチ検出回路と、
を備える表示システムにおける制御方法であって、
前記第１タイミングから前記第１取得タイミングまでの第１期間、および、前記第１タッチ駆動信号が前記第２電圧から前記第１電圧に変化する第３タイミングから前記複数の第１センサ電極の電圧が実質的に前記第１電圧になるタイミングまでの第２期間が、前記第２タイミングから前記第２取得タイミングまでの第３期間に非重複であるように、前記第１駆動回路、前記第２駆動回路、前記第１タッチ検出回路および前記第２タッチ検出回路を制御するステップを備える、ことを特徴とする制御方法。
この態様によると、誤検出を抑制できる。
【符号の説明】
【０１２９】
１…表示システム、１２…制御装置、２２…表示装置、２２ａ…第１表示装置、２２ｂ…第２表示装置、７４ａ…第１駆動回路、７４ｂ…第２駆動回路、７６…タッチ検出回路、７６ａ…第１タッチ検出回路、７６ｂ…第２タッチ検出回路、７８ａ…第１クロック生成回路、７８ｂ…第２クロック生成回路、ＴＸ１…第１タッチ駆動信号、ＴＸ２…第２タッチ駆動信号。
【図１】
2020154836.tif 000003
【図２】
2020154836.tif 000004
【図３】
2020154836.tif 000005
【図４】
2020154836.tif 000006
【図５】
2020154836.tif 000007
【図６】
2020154836.tif 000008
【図７】
2020154836.tif 000009
【図８】
2020154836.tif 000010
【図９】
2020154836.tif 000011
【図１０】
2020154836.tif 000012
【図１１】
2020154836.tif 000013
【図１２】
2020154836.tif 000014
【図１３】
2020154836.tif 000015
【図１４】
2020154836.tif 000016